(57)【要約】【課題】  ＣＤとラジオ放送とを同時並行して圧縮録音を行うことが出来るデータ処理装置及びその制御方法を提供する。【解決手段】  複数の再生装置１から音声データが入力され、各前記音声データを同時並行して圧縮して圧縮音声データとして記録するデータ処理装置１００において、前記再生装置１は、出力速度制御信号に基づいて、前記音声データの出力速度を可変可能な再生装置１を含み、前記再生装置１から入力される前記音声データを圧縮しているときに、新たに前記再生装置１から入力される前記音声データの圧縮を開始すると、対応する前記再生装置１における前記音声データの出力速度を低下させる前記出力速度制御部６を備えた。【選択図】      図４
2006138968.tif 000002
【特許請求の範囲】
【請求項１】
複数の再生装置から音声データが入力され、各前記音声データを同時並行して圧縮して圧縮音声データとして記録するデータ処理装置において、前記再生装置は、出力速度制御信号に基づいて、前記音声データの出力速度を可変可能な再生装置を含み、前記再生装置から入力される前記音声データを圧縮しているときに、新たに前記再生装置から入力される前記音声データの圧縮を開始すると、対応する前記再生装置における前記音声データの出力速度を低下させる前記出力速度制御部を備えたことを特徴とするデータ処理装置。
【請求項２】
前記出力速度制御部は、前記音声データを圧縮しているときに、再生すべき前記圧縮音声データの出力を開始すると、対応する前記再生装置における前記音声データの出力速度を低下させることを特徴とする請求項１に記載のデータ処理装置。
【請求項３】
複数の再生装置から音声データが入力され、各前記音声データを同時並行して圧縮して圧縮音声データとして記録するデータ処理装置において、前記再生装置は、出力速度制御信号に基づいて、前記音声データの出力速度を可変可能な再生装置を含み、前記同時並行して圧縮すべき前記音声データのデータ量が当該データ処理装置の動作状態に応じた所定のデータ量を超えたか否かを判別するデータ量判別部と、前記判別の結果に基づいて前記出力速度制御信号を生成し、前記同時並行して圧縮すべき前記音声データのデータ量が所定のデータ量を超えないように、対応する前記再生装置における前記音声データの出力速度を低下させる出力速度制御部と、を備えたことを特徴とするデータ処理装置。
【請求項４】
前記出力速度制御部は、前記音声データを圧縮するに際し、前記音声データを一時的に記憶する一時記憶部を有し、同時並行して前記一時記憶部に記憶される前記音声データのデータ量が、所定のデータ量を超えないように、対応する前記再生装置における前記音声データの出力速度を低下させることを特徴とする請求項３に記載のデータ処理装置。
【請求項５】
前記出力速度制御部は、圧縮すべき前記音声データ及び再生すべき前記無圧縮音声データのデータ量が、所定のデータ量よりも少ないときに、対応する前記再生装置における前記音声データの出力速度を上昇させることを特徴とする請求項３又は４に記載のデータ処理装置。
【請求項６】
前記データ処理装置は、前記音声データを圧縮しているときに、記録された前記圧縮音声データを、無圧縮音声データへと復元し、出力することを特徴とする請求項１乃至５に記載のデータ処理装置。
【請求項７】
前記出力速度制御部は、圧縮すべき前記音声データ及び再生すべき前記無圧縮音声データのデータ量が、所定のデータ量を超えないように、対応する前記再生装置における前記音声データの出力速度を低下させることを特徴とする請求項１乃至６に記載のデータ処理装置。
【請求項８】
前記圧縮音声データは、フラッシュメモリーに記憶することを特徴とする請求項１乃至７に記載のデータ処理装置。
【請求項９】
複数の再生装置から音声データが入力され、各前記音声データを同時並行して圧縮して圧縮音声データとして記録するデータ処理装置を制御する制御方法において、前記再生装置は、出力速度制御信号に基づいて、前記音声データの出力速度を可変可能な再生装置を含み、前記再生装置から入力される前記音声データを圧縮しているときに、新たに前記再生装置から入力される前記音声データの圧縮を開始する過程と、対応する前記再生装置における前記音声データの出力速度を低下させる過程と、を備えたことを特徴とするデータ処理装置の制御方法。
【請求項１０】
複数の再生装置から音声データが入力され、各前記音声データを同時並行して圧縮して圧縮音声データとして記録するデータ処理装置を制御する制御方法において、前記再生装置は、出力速度制御信号に基づいて、前記音声データの出力速度を可変可能な再生装置を含み、前記同時並行して圧縮すべき前記音声データのデータ量が当該データ処理装置の動作状態に応じた所定のデータ量を超えたか否かを判別過程と、前記判別の結果に基づいて前記出力速度制御信号を生成する過程と、前記同時並行して圧縮すべき前記音声データのデータ量が所定のデータ量を超えないように、対応する前記再生装置における前記音声データの出力速度を低下させる過程と、を備えたことを特徴とするデータ処理装置の制御方法。
【請求項１１】
複数の再生装置から音声データが入力され、各前記音声データを同時並行して圧縮して圧縮音声データとして記録するデータ処理装置を制御するための制御プログラムにおいて、前記再生装置は、出力速度制御信号に基づいて、前記音声データの出力速度を可変可能な再生装置を含み、前記再生装置から入力される前記音声データを圧縮しているときに、新たに前記再生装置から入力される前記音声データの圧縮を開始させ、対応する前記再生装置における前記音声データの出力速度を低下させることを特徴とするデータ処理装置の制御プログラム。
【請求項１２】
複数の再生装置から音声データが入力され、各前記音声データを同時並行して圧縮して圧縮音声データとして記録するデータ処理装置を制御するための制御プログラムにおいて、前記再生装置は、出力速度制御信号に基づいて、前記音声データの出力速度を可変可能な再生装置を含み、前記同時並行して圧縮すべき前記音声データのデータ量が当該データ処理装置の動作状態に応じた所定のデータ量を超えたか否かを判別させ、前記判別の結果に基づいて前記出力速度制御信号を生成させ、前記同時並行して圧縮すべき前記音声データのデータ量が所定のデータ量を超えないように、対応する前記再生装置における前記音声データの出力速度を低下させることを特徴とするデータ処理装置の制御プログラム。
【請求項１３】
請求項１１又は１２に記載の制御プログラムを記録したことを特徴とするコンピューター読み取り可能な記録媒体。
【発明の詳細な説明】
【技術分野】
【０００１】
本発明は、複数の再生装置から出力される音声データを、同時並行に圧縮して圧縮音声データとして記録するデータ処理装置に関する。
【背景技術】
【０００２】
従来、ＣＤ（Compact Disk）やラジオ放送等をＭＰ３（Moving Picture Experts Group Audio Layer-3）等の圧縮フォーマットに変換して固体メモリーに記録し、この圧縮データを再生することで音楽を再生することができるシステムが知られている（例えば、参考文献１参照）。
【特許文献１】特開平１０−１６２５０８号公報
【発明の開示】
【発明が解決しようとする課題】
【０００３】
しかしながら、上記従来の構成技術にあっては、ラジオ放送の録音とＣＤの録音とを同時に制御することは可能であったが、この場合、ＣＤの出力速度が速いと、録音作業の制御を行うＣＰＵ（Central Processing Unit）にとっては負担のかかる作業となる結果、ＣＰＵの処理能力の限界へと達してしまい、ラジオ放送とＣＤとを同時に録音するにはＣＰＵ処理能力が足りなくなってしまうといったことが起こり得た。
【０００４】
これを回避するために、より処理能力の高いＣＰＵを使用する方法が考えられるが、この方法であると、ＣＰＵの性能アップによるコスト増加は避けられなくなる。
【０００５】
本発明は、上述した事情に鑑みてなされたものであり、ＣＤとラジオ放送とを同時並行して圧縮録音を行うことが出来るデータ処理装置及びその制御方法を提供することを目的としている。
【課題を解決するための手段】
【０００６】
本発明は、複数の再生装置から音声データが入力され、各前記音声データを同時並行して圧縮して圧縮音声データとして記録するデータ処理装置において、前記再生装置は、出力速度制御信号に基づいて、前記音声データの出力速度を可変可能な再生装置を含み、前記再生装置から入力される前記音声データを圧縮しているときに、新たに前記再生装置から入力される前記音声データの圧縮を開始すると、対応する前記再生装置における前記音声データの出力速度を低下させる前記出力速度制御部を備えたことを特徴とする。
【０００７】
この場合において、前記出力速度制御部は、前記音声データを圧縮しているときに、再生すべき前記圧縮音声データの出力を開始すると、対応する前記再生装置における前記音声データの出力速度を低下させてもよい。
【０００８】
また、複数の再生装置から音声データが入力され、各前記音声データを同時並行して圧縮して圧縮音声データとして記録するデータ処理装置において、前記再生装置は、出力速度制御信号に基づいて、前記音声データの出力速度を可変可能な再生装置を含み、前記同時並行して圧縮すべき前記音声データのデータ量が当該データ処理装置の動作状態に応じた所定のデータ量を超えたか否かを判別するデータ量判別部と、前記判別の結果に基づいて前記出力速度制御信号を生成し、前記同時並行して圧縮すべき前記音声データのデータ量が所定のデータ量を超えないように、対応する前記再生装置における前記音声データの出力速度を低下させる出力速度制御部と、を備えたことを特徴とする。
【０００９】
この場合において、前記出力速度制御部は、前記音声データを圧縮するに際し、前記音声データを一時的に記憶する一時記憶部を有し、同時並行して前記一時記憶部に記憶される前記音声データのデータ量が、所定のデータ量を超えないように、対応する前記再生装置における前記音声データの出力速度を低下させてもよい。前記出力速度制御部は、圧縮すべき前記音声データ及び再生すべき前記無圧縮音声データのデータ量が、所定のデータ量よりも少ないときに、対応する前記再生装置における前記音声データの出力速度を上昇させてもよい。
【００１０】
上記場合において、前記データ処理装置は、前記音声データを圧縮しているときに、記録された前記圧縮音声データを、無圧縮音声データへと復元し、出力してもよい。前記出力速度制御部は、圧縮すべき前記音声データ及び再生すべき前記無圧縮音声データのデータ量が、所定のデータ量を超えないように、対応する前記再生装置における前記音声データの出力速度を低下させてもよい。前記圧縮音声データは、フラッシュメモリーに記憶してもよい。
【００１１】
また、複数の再生装置から音声データが入力され、各前記音声データを同時並行して圧縮して圧縮音声データとして記録するデータ処理装置を制御する制御方法において、前記再生装置は、出力速度制御信号に基づいて、前記音声データの出力速度を可変可能な再生装置を含み、前記再生装置から入力される前記音声データを圧縮しているときに、新たに前記再生装置から入力される前記音声データの圧縮を開始する過程と、対応する前記再生装置における前記音声データの出力速度を低下させる過程と、を備えたことを特徴とする。
【００１２】
また、複数の再生装置から音声データが入力され、各前記音声データを同時並行して圧縮して圧縮音声データとして記録するデータ処理装置を制御する制御方法において、前記再生装置は、出力速度制御信号に基づいて、前記音声データの出力速度を可変可能な再生装置を含み、前記同時並行して圧縮すべき前記音声データのデータ量が当該データ処理装置の動作状態に応じた所定のデータ量を超えたか否かを判別過程と、前記判別の結果に基づいて前記出力速度制御信号を生成する過程と、前記同時並行して圧縮すべき前記音声データのデータ量が所定のデータ量を超えないように、対応する前記再生装置における前記音声データの出力速度を低下させる過程と、を備えたことを特徴とする。
【００１３】
また、複数の再生装置から音声データが入力され、各前記音声データを同時並行して圧縮して圧縮音声データとして記録するデータ処理装置を制御するための制御プログラムにおいて、前記再生装置は、出力速度制御信号に基づいて、前記音声データの出力速度を可変可能な再生装置を含み、前記再生装置から入力される前記音声データを圧縮しているときに、新たに前記再生装置から入力される前記音声データの圧縮を開始させ、対応する前記再生装置における前記音声データの出力速度を低下させることを特徴とする。
【００１４】
また、複数の再生装置から音声データが入力され、各前記音声データを同時並行して圧縮して圧縮音声データとして記録するデータ処理装置を制御するための制御プログラムにおいて、前記再生装置は、出力速度制御信号に基づいて、前記音声データの出力速度を可変可能な再生装置を含み、前記同時並行して圧縮すべき前記音声データのデータ量が当該データ処理装置の動作状態に応じた所定のデータ量を超えたか否かを判別させ、前記判別の結果に基づいて前記出力速度制御信号を生成させ、前記同時並行して圧縮すべき前記音声データのデータ量が所定のデータ量を超えないように、対応する前記再生装置における前記音声データの出力速度を低下させることを特徴とする。
【００１５】
また、本発明は、コンピューター読み取り可能な記録媒体において、前記制御プログラムを記録したことを特徴とする。
【発明の効果】
【００１６】
本発明は、ＣＤ等の記録媒体再生装置及びラジオ放送を同時に録音する際に、記録媒体再生装置から出力される音声データの出力速度を遅くすることにより、記録媒体再生装置及びラジオ放送を、余裕を持って圧縮録音することができる。
【発明を実施するための最良の形態】
【００１７】
以下、図面を参照しつつ本発明の実施の形態について説明する。
図１は、本実施形態に係るデータ処理装置１００を示すブロック図である。
このデータ処理装置１００は、自動車等の車両に搭載される車載用データ処理装置であり、音楽機器１、録音制御部４、一時記憶部７、データ圧縮部８、固定記憶部９、音楽再生部１０、操作部１３、主制御部１６を備えている。
【００１８】
音楽機器１は録音の対象となるＣＤ２及びラジオ３（ＡＭ／ＦＭ）の再生装置であり、ＣＤ２の音声データは主制御部１６にて直接圧縮されるが、ラジオ３の音声データは主制御部のＤ／Ａ変換回路により、音声データへと変換された後に圧縮される。
録音制御部４は、現在録音中である音楽機器１がＣＤ２であるかラジオ３であるか等の録音状態を常に取得し続けている録音状態取得部５と、現在の録音状態を最適に行うために、ＣＤ２の音声データの出力速度を算出する出力速度判定部６とで構成されている。
【００１９】
一時記憶部７は、ＤＲＡＭ（Dynamic Random Access Memory）により構成される。一時記憶部７は、音楽機器１から送られてきた、無圧縮状態の各音声データをそれぞれ個別の領域に分けて一時的に保存する。この一時記憶部７に保存された無圧縮状態の音声データは、データ処理装置１００本体に衝撃が加わったことによる、ＣＤ２の音飛びを防止するショックプルーフ再生用として用いると共に、固定記憶部９に記憶するためのデータとして用いられる。
【００２０】
データ圧縮部８は、一時記憶部７から無圧縮状態の音声データを取り出し、ＭＰ３、ＷＭＡ、ＡＴＲＡＣ３（登録商標）、ＡＡＣ（Advanced Audio Coding）等の圧縮フォーマットに変換する。
固定記憶部９は、圧縮音声データを記憶するフラッシュメモリーである。固定記憶部９に、不揮発性の半導体メモリーであるフラッシュメモリーを使用するため、固定記憶部９にＨＤＤを使用する場合と比較して固定記憶部９を小型にできるため、固定記憶部９のレイアウトの自由度を向上させることができる。
【００２１】
音楽再生部１０は、データ復元部１１とスピーカー１２とで構成される。データ復元部１１は、通常の再生時には一時記憶部７から無圧縮状態の音声データを復調して再生させ、圧縮音声データ再生時は固定記憶部９からの圧縮音声データを伸張して再生させる。音声再生部１０は、Ｄ／Ａ変換回路（図示せず）や増幅回路（図示せず）を備え、主制御部１６の制御の下、Ｄ／Ａ変換回路により、デジタル音声信号をアナログデジタル変換してアナログ音声信号を生成し、この音声信号を、増幅回路により増幅してからスピーカー１２に出力する。
【００２２】
操作部１３は、操作者がキー操作で録音が可能となるように、ＣＤ録音キー１４とラジオ録音キー１５とを備える。ＣＤ録音キー１４を操作した場合にはＣＤ録音が開始し、ラジオ録音キー１５を操作した場合にはラジオ録音が開始する。ＣＤ録音キー１４とラジオ録音キー１５とは同時に操作することも可能であり、一方を録音中に他方の録音キーを操作するとＣＤ２とラジオ３との同時録音となる。
主制御部１６は、ＣＰＵ（図示せず）、ＣＰＵが実行する制御プログラムを格納するＲＯＭ（図示せず）、各種データを一時的に格納するＲＡＭ（図示せず）等を備え、操作部１３からの録音命令、録音制御部４からのＣＤ出力速度の変更命令、音楽機器１への再生命令、音楽再生部１０への再生命令、固定記憶部９への圧縮データの書き込み命令、固定記憶部９への圧縮音声データ読出し命令等の、データ処理装置１００全体を制御するコンピューターとして機能する。
【００２３】
次に、このデータ処理装置１００の録音時の動作を説明する。
図２は、ＣＤ２の音声データの録音を行う際のフローチャートである。
主制御部１６は先ず、ＣＤ２の音声データの録音が開始されたか否かの判定を行う（ステップＳ１）。ここで、ＣＤ２の音声データの録音が開始されていないと主制御部１６が判定すると（ステップＳ１：ＮＯ）、主制御部１６はステップＳ１の判定を繰り返し行う。
【００２４】
また、ステップＳ１において、操作者がＣＤ録音キー１４を押し、ＣＤ２の音声データの録音を開始させると（ステップＳ１：ＹＥＳ）、主制御部１６は録音制御部４を呼び出し、録音状態取得部５が取得した現在の録音状態を取得する。
【００２５】
次に録音制御部４は、現在の録音状態に基づいてＣＤ２の音声データの出力速度を判定する（ステップＳ２）。
【００２６】
録音制御部４によってＣＤ出力速度が判定されると、主制御部１６は音楽機器１にこの判定されたＣＤ２の出力速度でＣＤ２の音声データを出力するように指示する。音楽機器１は指示された出力速度でＣＤ２の音声データをピックアップ（図示せず）によって読み込むと共に主制御部１６にへと出力する。そして、主制御部１６は出力されたＣＤ２の音声データを読み込む（ステップＳ３）。
【００２７】
そして、主制御部１６は、読み込んだＣＤ２の音声データを一時記憶部７に保存する（ステップＳ４）。
一時記憶部７に保存されたＣＤ２の音声データは、ショックプルーフ再生（ステップＳ５）を行うのと並行して、データ圧縮部８でＭＰ３やＡＴＲＡＣ３といった圧縮フォーマットに変換される（ステップＳ６）。
【００２８】
次に、主制御部１６はＣＤ２から読み込んでいる音声データの内、１曲分の再生が終了したか否かを判定する（ステップＳ７）。このとき、１曲分の再生が終了していないと判定した場合（ステップＳ７：ＮＯ）、主制御部１６はＣＤ２の音声データの出力速度を判定するステップ（ステップＳ２）に戻り、一連の処理を繰り返す。
しかし、ステップＳ７において、１曲分の再生が終了したと判定した場合（ステップＳ７：ＹＥＳ）、主制御部１６は次に、ステップＳ６にて圧縮フォーマットに変換されたデータを固定記憶部９に保存する（ステップＳ８）。
【００２９】
圧縮フォーマットに変換された音声データを固定記憶部９に保存したら（ステップＳ８）、主制御部１６は次に、ＣＤ２から録音すべき全ての曲の再生が終了したか否かを判定する（ステップＳ９）。このとき、ＣＤ２から録音すべき全ての曲の再生が終了していないと判定した場合（ステップＳ９：ＮＯ）、主制御部１６はＣＤ２の音声データの、出力速度の判定（ステップＳ２）に戻り、一連の処理を繰り返す。
しかし、ステップＳ９において、ＣＤ２から録音すべき全ての曲の再生が終了したと判定した場合（ステップＳ９：ＹＥＳ）、主制御部１６は一連の録音動作を終了する（ステップＳ１０）。
【００３０】
図３は、ラジオ３の音声データの録音を行う際のフローチャートである。
主制御部１６は先ず、ラジオ３の音声データの録音が開始されたか否かの判定を行う（ステップＳ１１）。ラジオ３の音声データの録音が開始されていないと主制御部１６が判定すると（ステップＳ１１：ＮＯ）、主制御部１６はステップＳ１１の処理を繰り返し行う。
ここで、操作者がラジオ録音キー１５を押し、ラジオ３の音声データの録音を開始すると（ステップＳ１１：ＹＥＳ）、次に主制御部１６はラジオ３から出力されたアナログ音声信号を、Ｄ／Ａ変換回路によりアナログデジタル変換して音声データへと変換し、一時記憶部７にこの音声データを保存する（ステップＳ１２）。
【００３１】
そして、一時記憶部７に保存されたラジオ３の音声データは、データ圧縮部８でＭＰ３やＡＴＲＡＣ３等のいずれかの圧縮フォーマットに変換される（ステップＳ１３）。
次に、主制御部１６はラジオ３の録音が終了したか否かを判定する（ステップＳ１４）。
【００３２】
ラジオ３の音声データの録音は操作者がラジオ録音終了キー（図示せず）を押すまで続けられるため、ステップＳ１４で操作者がラジオ録音終了キーを押していなければ、主制御部１６はラジオ３の音声データの録音が終了していないと判定し（ステップＳ１４：ＮＯ）、主制御部１６はステップＳ１２に戻り、一連の動作を繰り返す。
しかし、ステップＳ１４で操作者がラジオ録音終了キーを押せば、主制御部１６はラジオ３の音声データの録音が終了したと判定し（ステップＳ１４：ＹＥＳ）、今まで圧縮していたラジオ３の音声データを１つのファイルとして固定記憶部９に保存する。
【００３３】
図４は、図２のＳ２に示したＣＤ２の音声データの録音時にＣＤ２の音声データの出力速度を判定する際のフローチャートである。
録音状態取得部５は、ＣＤ２の音声データの録音が開始されると常に現在の録音状態を取得している（ステップＳ２１）。ここで言う録音状態とは、ＣＤ２の音声データのみの録音状態と、ＣＤ２の音声データとラジオ３の音声データとの同時録音状態との２つの状態であり、録音状態により処理すべきデータ量の判別を行う。
【００３４】
録音状態取得部５は録音状態を取得し、録音状態が変わったか否かの判定を行う（ステップＳ２２）。このとき、録音状態取得部５が録音状態は変わっていないと判定すると（ステップＳ２２：ＮＯ）、録音状態取得部５はステップＳ２１へと戻り、新たな録音状態をチェックし（ステップＳ２１）、同様の処理を繰り返す。
しかし、ステップＳ２２で録音状態取得部５が録音状態は変わったと判定すると（ステップＳ２２：ＹＥＳ）、録音状態取得部５は、現在の録音状態を出力速度判定部６に伝える。
【００３５】
現在の録音状態が伝えられた出力速度判定部６は次に、ＣＤ２の音声データとラジオ３の音声データとの同時録音状態であるか否かを判定する（ステップＳ２３）。
このとき、出力速度判定部６が現在の録音状態はＣＤ２の音声データとラジオ３の音声データとの同時録音状態ではないと判定すると（ステップＳ２３：ＮＯ）、出力速度判定部６は主制御部１６に、ＣＤ２の音声データの出力速度を最大値で出力するように指示する。
【００３６】
出力速度判定部６からＣＤ２の音声データを出力速度の最大値で録音を行うように指示された主制御部１６は、ＣＤ２の音声データの出力速度を最大値の４倍速に設定し、ＣＤ２の音声データのみの４倍速録音（再生時間６０分のＣＤであると１５分で録音を行う）を行い（ステップＳ２４）、図２のステップＳ３以下の処理を行う。
【００３７】
しかし、ステップＳ２３において、録音速度制御部６が現在の録音状態はＣＤ２の音声データとラジオ３の音声データとの同時録音状態であると判定すると（ステップＳ２３：ＹＥＳ）、処理能力に余裕を持たせるために、出力速度判定部６は主制御部１６に、ＣＤ２の音声データの出力速度を最大値より落とすように指示を行う。
【００３８】
出力速度判定部６から、ＣＤ２の音声データの出力速度を最大値より落とすように指示を受けた主制御部１６は、ＣＤ２の音声データの出力速度を予め設定された速度である２倍速に設定し、ＣＤ２の音声データの２倍速録音とラジオ３の音声データの１倍速録音とを同時に行い、図２のステップＳ３以下の処理を行う。
【００３９】
ここで、ＣＤ２の音声データのみの録音中に、途中からラジオ３の音声データの録音を開始した場合について説明する。
ＣＤ２の音声データのみを録音中は、データ処理装置１００はＣＤ２の音声データの出力速度を最大値である４倍速で録音を行うが、操作者がラジオ録音キー１５を押し、ラジオ３の音声データの録音を開始すると同時に、録音状態はＣＤ２の音声データとラジオ３の音声データとの同時録音状態となるため、ＣＤ２の音声データの出力速度を４倍速から２倍速に落とす。
【００４０】
これとは逆に、ＣＤ２の音声データとラジオ３の音声データとの同時録音状態の途中からラジオ３の録音を中止した場合には、データ処理装置１００はＣＤ２の音声データの出力速度を２倍速から４倍速に上げることによって、ＣＤ２の音声データを録音する時間の短縮を図る。
【００４１】
また、ラジオ３の音声データのみを録音中にＣＤ２の音声データの録音を開始した場合、又は、ＣＤ２の音声データとラジオ３の音声データとの同時録音状態からＣＤ２の音声データの録音を中止した場合は、いずれの場合でもＣＤ２の音声データの出力速度は常に２倍速である。
【００４２】
前述したように、ＣＤ２の音声データとラジオ３の音声データとの同時録音状態では、データ圧縮部８は、ＣＤ２の音声データの録音処理とラジオ３の音声データの録音処理を同時並行してリアルタイムで行う必要があり、別個に処理を行う場合と比較して処理能力が不足する可能性がある。
しかし、本実施形態のデータ処理装置１００では、音声データの出力速度を可変することができる再生装置であるＣＤ２の音声データの出力速度を遅くすることにより、データ圧縮部８は処理能力に余裕を持って振り分けることができ、ラジオ３の音声データの録音処理に余裕を持ってＣＤ２の音声データとラジオ３の音声データとの同時録音を行うことが可能となる。
【００４３】
また、録音状態にあるときに、固定記憶部９に記憶された圧縮音声データを出力する場合も主制御部１６の負担を減らすためにＣＤ２の音声データの出力速度は減少する。ＣＤ２の音声データを録音中に圧縮音声データを出力する場合には、ＣＤ２の音声データの出力速度は３倍速となり、ＣＤ２の音声データ及びラジオ３の音声データを録音中に圧縮音声データを出力する場合には、ＣＤ２の音声データの出力速度は１倍速となる。
【００４４】
以上、一実施形態に基づいて本発明を説明したが、本発明は、これに限定されるものではない。例えば、本実施形態ではＣＤ２の音声データの出力速度をそれぞれ２倍速、４倍速等と定めているが、これに限らず、データ圧縮部８、一時記憶部７、主制御部１６の処理すべきデータ量が所定のデータ量を超えないように、ＣＤ２の音声データの出力速度を制御していれば任意の値でもよい。本実施形態では音楽機器１としてＣＤ２とラジオ３を用いているが、ＤＶＤ、ＭＤ、テレビ放送等、その他の媒体であってもよい。本実施形態では、固定記憶部９にフラッシュメモリーを用いているが、ＨＤＤ（Hard Disk Drive）や固体メモリー等の記憶機器であればよい。
【図面の簡単な説明】
【００４５】
【図１】本実施形態に係るデータ処理装置を示すブロック図である。
【図２】ＣＤの音声データの録音動作を示すフローチャートである。
【図３】ラジオの音声データの録音動作を示すフローチャートである。
【図４】ＣＤの音声データの出力速度判定動作を示すフローチャートである。
【符号の説明】
【００４６】
１  音楽機器（再生装置）
５  録音状態取得部（データ量判別部）
６  出力速度判定部（出力速度制御部）
７  一時記憶部
９  固定記憶部（フラッシュメモリー）
１００  データ処理装置
【図１】
2006138968.tif 000003
【図２】
2006138968.tif 000004
【図３】
2006138968.tif 000005
【図４】
2006138968.tif 000006